(57)【要約】【課題】後輪に取り付けたダンパにより、四輪歩行車を減速させて安全性を高めることができる、車両減速の補助装置である四輪歩行車の減速機構を提供する。【解決手段】四輪歩行車の減速機構は、車両の後輪２に取り付けられるとともに、調節スライドブロック１１、戻しスプリング１２、少なくとも１つのダンパ１３及び噛合部材１４を備える。調節スライドブロック１１は、後輪２の車輪片２１に配設されるとともに、少なくとも１つの凹部１１１及び少なくとも１つの突当て部１１２を有する。調節スライドブロック１１の一側には、連動ブロックが設けられる。連動ブロックには、ケーブル引張り調節ユニット３が接続される。戻しスプリング１２は、後輪２の車輪片２１に対応するように設けられるとともに、調節スライドブロック１１の前端に位置する。ダンパ１３は、車輪片２１に配設される。噛合部材１４は、後輪２の車輪軸２２に配設される。【選択図】図２
0003199541.tif 000002
【実用新案登録請求の範囲】
【請求項１】
車両の後輪に取り付けられるとともに、調節スライドブロック、戻しスプリング、少なくとも１つのダンパ及び噛合部材を備えた四輪歩行車の減速機構であって、
前記調節スライドブロックは、前記後輪の車輪片に配設されるとともに、少なくとも１つの凹部及び少なくとも１つの突当て部を有し、前記調節スライドブロックの一側には、連動ブロックが設けられ、前記連動ブロックには、ケーブル引張り調節ユニットが接続され、
前記戻しスプリングは、前記後輪の車輪片に対応するように設けられるとともに、前記調節スライドブロックの前端に位置し、
前記ダンパは、前記車輪片に配設され、前記調節スライドブロックの凹部及び突当て部の作用を受けると前記車輪片上で変位するとともに、ダンパ歯車を有し、
前記噛合部材は、前記後輪の車輪軸に配設され、前記ダンパの前記ダンパ歯車に対応することを特徴とする、
四輪歩行車の減速機構。
【請求項２】
前記車輪片は、溝部を有し、前記溝部には、ダンパが嵌入され、前記溝部内には、弾性部材が配設され、前記弾性部材は、前記溝部と前記ダンパとの間に位置することを特徴とする請求項１に記載の四輪歩行車の減速機構。
【請求項３】
前記車輪片は、前記調節スライドブロックの前記連動ブロックが挿設される貫通孔を有し、前記ケーブル引張り調節ユニットが接続されることを特徴とする請求項１又は２に記載の四輪歩行車の減速機構。
【考案の詳細な説明】
【技術分野】
【０００１】
本考案は、四輪歩行車の減速機構に関し、特に、後輪に取り付けたダンパ（ｄａｍｐｅｒ）により四輪歩行車を減速させて安全性を高める、車両減速の補助装置である四輪歩行車の減速機構に関する。
【背景技術】
【０００２】
自動車事故、脳梗塞などの重い病気、怪我などにより下半身が麻痺したり、加齢により生理機能が低下して筋肉が衰え、自らの足では歩行が困難な身体が不自由な者は、車椅子、四輪歩行車などの補助器具を利用して移動するのが一般的である。身体が不自由な者は、日常生活における簡単な活動を行うために、車椅子、四輪歩行車を足代わりに使用することが多い。例えば車椅子の場合、自ら操作して走行することができる上、他人の助けを借りて前進、後退又は旋回させることができる。
【０００３】
車椅子及び歩行車はともに四輪車であり、実際に使用する際、身体が不自由な者の安全性を確保する必要がある。例えば、屋外の路面は高低差があったり傾いていたりして必ずしも平坦というわけではなく、自動車が近づいて来たり危険な状況に遭遇したときに減速して危険を回避し、安全性を確保することができる四輪歩行車が求められていた。
【０００４】
特許文献１の改良型ブレーキ装置を有する歩行車は、車体及び少なくとも１つのブレーキ装置を含む。車体は、支持フレームセットと、支持フレームセットの背部上方に取り付けられたハンドルユニットと、支持フレームセットの底部に取り付けられた少なくとも３つの車輪と、を含む。ハンドルユニットは、支持フレームセットに対して下圧位置と非下圧位置との間で枢着回転する。ブレーキ装置は、ハンドルユニットと接続されて支持フレームセットに固定される調節ケーブル巻取りユニットと、支持フレームセットに隣接した一車輪に固定され、調節ケーブル巻取りユニットに接続された制動器と、を含む。制動器は、支持フレームセットと連結固定するケースと、調節ケーブル巻取りユニットと接続してケース内で摺動する摺動部材と、摺動部材に隣接した車輪の一端に接続したストッパ部材と、車輪と同軸で固着されたラチェットと、を含む。ストッパ部材は、ラチェットから離れた自由位置と、ラチェットと係合されたブレーキ位置との間で移動する。ハンドルユニットは、非下圧位置から下圧位置に至り、調節ケーブル巻取りユニットを変位させて制動器を駆動し、ストッパ部材がブレーキ位置から自由位置へ移動する。ストッパ部材がラチェットから外れると車輪は自在に回転可能となる。ハンドルユニットは、下圧位置から非下圧位置へ回復し、調節ケーブル巻取りユニットが変位すると制動器が駆動され、ストッパ部材が自由位置からブレーキ位置へ移動する。ストッパ部材がラチェットと係合されると、車輪は回転しなくなる。
【０００５】
しかし、上述したような従来の構造は複雑であり、ユーザが調整しながら徐々に減速させる方式ではなく、短時間にブレーキ動作が行われるため急ブレーキとなり、元々身体が不自由なユーザは驚いてしまうことがあった。
【先行技術文献】
【特許文献】
【０００６】
【特許文献１】台湾実用新案登録第４２４９４０号公報
【考案の概要】
【考案が解決しようとする課題】
【０００７】
本考案の目的は、後輪に取り付けたダンパにより、四輪歩行車を減速させて安全性を高めることができる、車両減速の補助装置である四輪歩行車の減速機構を提供することにある。
【課題を解決するための手段】
【０００８】
上記課題を解決するために、本考案の第１の形態によれば、車両の後輪に取り付けられるとともに、調節スライドブロック、戻しスプリング、少なくとも１つのダンパ及び噛合部材を備えた四輪歩行車の減速機構であって、前記調節スライドブロックは、前記後輪の車輪片に配設されるとともに、少なくとも１つの凹部及び少なくとも１つの突当て部を有し、前記調節スライドブロックの一側には、連動ブロックが設けられ、前記連動ブロックには、ケーブル引張り調節ユニットが接続され、前記戻しスプリングは、前記後輪の車輪片に対応するように設けられるとともに、前記調節スライドブロックの前端に位置し、前記ダンパは、前記車輪片に配設され、前記調節スライドブロックの凹部及び突当て部の作用を受けると前記車輪片上で変位するとともに、ダンパ歯車を有し、前記噛合部材は、前記後輪の車輪軸に配設され、前記ダンパの前記ダンパ歯車に対応することを特徴とする四輪歩行車の減速機構が提供される。
【０００９】
前記車輪片は、溝部を有し、前記溝部には、ダンパが嵌入され、前記溝部内には、弾性部材が配設され、前記弾性部材は、前記溝部と前記ダンパとの間に位置することが好ましい。
【００１０】
前記車輪片は、前記調節スライドブロックの前記連動ブロックが挿設される貫通孔を有し、前記ケーブル引張り調節ユニットが接続されることが好ましい。
【考案の効果】
【００１１】
本考案の四輪歩行車の減速機構は、従来技術と比べ、後輪に取り付けたダンパにより、道路状況に応じて四輪歩行車を減速させることができるため、ユーザは安全に歩行することができる。
【図面の簡単な説明】
【００１２】
【図１】本考案の一実施形態に係る四輪歩行車を示す斜視図である。
【図２】本考案の一実施形態に係る四輪歩行車の減速機構を示す分解斜視図である。
【図３】本考案の一実施形態に係る四輪歩行車の減速機構を示す断面図である。
【図４】本考案の一実施形態に係る四輪歩行車の減速機構を示す断面図である。
【図５】本考案の一実施形態に係る四輪歩行者の減速機構の動作状態を示す説明図（１）である。
【図６】本考案の一実施形態に係る四輪歩行者の減速機構の動作状態を示す説明図（２）である。
【考案を実施するための形態】
【００１３】
以下、本考案の実施形態について図に基づいて説明する。なお、これによって本考案が限定されるものではない。
【００１４】
図１〜図３を参照する。図１は、本考案の一実施形態に係る四輪歩行車を示す斜視図である。図２は、本考案の一実施形態に係る四輪歩行車の減速機構を示す分解斜視図である。図３は、本考案の一実施形態に係る四輪歩行車の減速機構を示す断面図である。図１〜図３に示すように、本考案の一実施形態に係る四輪歩行車の減速機構１は、車両の後輪２に取り付けられるとともに、少なくとも調節スライドブロック１１、戻しスプリング１２、少なくとも１つのダンパ１３及び噛合部材１４から構成されてなる。
【００１５】
調節スライドブロック１１は、後輪２の車輪片２１に配設される。調節スライドブロック１１は、少なくとも１つの凹部１１１及び少なくとも１つの突当て部１１２を有する。調節スライドブロック１１の一側には、連動ブロック１１３が設けられる。連動ブロック１１３は、ケーブル引張り調節ユニット３と連結される。
【００１６】
戻しスプリング１２は、後輪２の車輪片２１上に対応して設置され、調節スライドブロック１１の前端に位置する。
【００１７】
ダンパ１３は、車輪片２１上に配設される。ダンパ１３は、調節スライドブロック１１の凹部１１１及び突当て部１１２の作用を受けると車輪片２１上で変位する。ダンパ１３には、ダンパ歯車１３１が配設される。
【００１８】
噛合部材１４は、後輪２の車輪軸２２上に配設され、ダンパ１３のダンパ歯車１３１に対応する。
【００１９】
図１〜図３を参照する。図１〜図３に示すように、実際に組立てて使用する際、減速機構１は四輪歩行車の後輪２に取り付けられる。後輪２内に配設された車輪軸２２に噛合部材１４を嵌合させてから、後輪２の車輪片２１に調節スライドブロック１１を取り付ける。車輪片２１は、貫通孔２１１を有する。調節スライドブロック１１の連動ブロック１１３は、貫通孔２１１に挿設され、ケーブル引張り調節ユニット３に接続される。車輪片２１には溝部２１２が形成される。溝部２１２には、ダンパ１３が嵌入され、溝部２１２内には弾性部材２１３が配設され、弾性部材２１３が溝部２１２とダンパ１３との間に位置し、ダンパ１３がまだ作動していないとき、調節スライドブロック１１の凹部１１１に位置し、ダンパ１３のダンパ歯車１３１が噛合部材１４上に位置する。
【００２０】
図１〜図６に示すように、実際に組立てた四輪歩行車が良好でない路面（例えば、小さな坂道、凹凸な道など）を走行する場合、ユーザは歩く際にケーブル引張り調節ユニット３と接続したハンドルを押圧すると、ケーブル引張り調節ユニット３により調節スライドブロック１１が変位し、戻しスプリング１２が圧縮されるとともに、調節スライドブロック１１の突当て部１１２によりダンパ１３が押されて弾性部材２１３が下方へ圧縮され、ダンパ歯車１３１が後輪２の車輪軸２２上の噛合部材１４と噛合し、ダンパ歯車１３１が自由輪であるため、噛合部材１４と噛合された後に後輪の速度を下げて四輪歩行車を減速させることができる。
また、配設する少なくとも１つのダンパ１３は、必要な抵抗力の大きさに応じてその数を調整してもよく、調節スライドブロック１１の凹部１１１及び突当て部１１２はダンパ１３に応じて設けてもよい。ダンパ１３が複数である場合、図５及び図６に示すように、ダンパ１３が押下されるとダンパ歯車１３１が噛合部材１４と噛合された後、もう一つのダンパ１３が突当て部１１２により押圧されて押下される。
【００２１】
反対に、ケーブル引張り調節ユニット３が緩められると、戻しスプリング１２により調節スライドブロック１１が押されて復位し、ダンパ１３が弾性部材２１３により調節スライドブロック１１の凹部１１１へ復位し、ダンパ歯車１３１が噛合部材１４から外れるため、後輪２の速度が押し動かす速度に戻る。
【００２２】
上述したことから分かるように、本考案の四輪歩行車の減速機構は、後輪に取り付けたダンパにより、路面の状況に応じてユーザが減速機構を使用して四輪歩行車を減速させ、走行の安全性を高めることができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１      減速機構
２      後輪
３      ケーブル引張り調節ユニット
１１    調節スライドブロック
１２    戻しスプリング
１３    ダンパ
１４    噛合部材
２１    車輪片
２２    車輪軸
１１１  凹部
１１２  突当て部
１１３  連動ブロック
１３１  ダンパ歯車
２１１  貫通孔
２１２  溝部
２１３  弾性部材
【図１】
0003199541.tif 000003
【図２】
0003199541.tif 000004
【図３】
0003199541.tif 000005
【図４】
0003199541.tif 000006
【図５】
0003199541.tif 000007
【図６】
0003199541.tif 000008